(57)【要約】【課題】埋設管の管長よりも長いケーブルを個別に敷設する鞘管及びセパレータが埋設管の管端より外方へ突出していても、鞘管及びセパレータを確実に防水することができる埋設管の管端封止構造を提供する。【解決手段】埋設管１の管端１ａより外方へ突出する各鞘管１１及びセパレータ１２の端部を防水するように埋設管１の管端１ａを水密状に封止する管端封止部材２を設ける。この管端封止部材２は、一端が埋設管１の管端１ａの管端部１ｃの嵌挿により取り付けられ、かつ埋設管１の管端１ａより外方に突出する複数のケーブル類をそれぞれ個別に敷設する鞘管１１，１１，…を外周方向から覆う外周包囲管２１と、この外周包囲管２１の他端を水密状に封止するキャップ２２とを備える。【選択図】図１
2011109748.tif 000002
【特許請求の範囲】
【請求項１】
管路に沿って延びる複数のケーブル類が内部に収納された埋設管の管端を水密状に封止する管端封止構造であって、
前記埋設管の管端に一端が水密状に取り付けられ、当該埋設管の管端より外方に突出する複数のケーブル類を外周方向から覆う管端封止部材を備えていることを特徴とする埋設管の管端封止構造。
【請求項２】
前記管端封止部材は、前記埋設管の管端に一端が水密状に取り付けられる外周包囲管と、当該外周包囲管の他端を水密状に封止するキャップとを備えている請求項１に記載の埋設管の管端封止構造。
【請求項３】
前記外周包囲管が、その外周包囲管の軸線方向に伸縮自在に構成されてなるものである請求項２に記載の埋設管の管端封止構造。
【請求項４】
前記外周包囲管は、その外周包囲管の軸線方向に分割された脱着自在な複数個の分割包囲管体を備え、前記埋設管の管端より外方に突出する複数のケーブル類の突出長さに応じた個数の前記分割包囲管体により構成されている請求項２に記載の埋設管の管端封止構造。
【請求項５】
前記外周包囲管の一端及び前記埋設管の管端の少なくとも一方に設けられ、その両端同士の間をシールするシール部材を備えている請求項２〜請求項４のいずれか１つに記載の埋設管の管端封止構造。
【発明の詳細な説明】
【技術分野】
【０００１】
本発明は、管路に沿って延びる複数のケーブル類を内部に収納してなる埋設管の端部を水密状に封止するための管端封止構造に関する。
【背景技術】
【０００２】
近来より、地上風景の美観を図る上で、電話線や通信線などのケーブルを地中化することが行われている。
そして、ケーブルを地中化するに当たり、地中に埋められる埋設管の内部にケーブルを収納している。具体的には、地中に埋められる埋設管の内部をセパレータなどで仕切り、そのセパレータにより仕切られた管路に沿って前記ケーブルを延ばすことにより当該ケーブルを前記埋設管の内部に収納するようにしたものが知られている（例えば、特許文献１参照）。
【先行技術文献】
【特許文献】
【０００３】
【特許文献１】特開２０００−３２０７４０号公報
【発明の概要】
【発明が解決しようとする課題】
【０００４】
ところで、埋設管の内部に収納されたケーブルは、必要とされる端末が設置される建造物まで予め導かれるようにしているが、その建造物の工事が滞ったり、建造物の工事自体が中止になってしまうことがある。
その場合、埋設管を埋めるために掘削された掘削溝に、複数のケーブル類（ケーブル及びセパレータ）を収納した埋設管を収容した状態で、土を被せて埋め戻しておく必要がある。しかも、建造物の工事の状況によっては、前記埋設管を埋め戻しておく期間が数年に及ぶこともある。かかる点から、埋設管の管端を専用のキャップなどにより水密状に封止する構造を採用して埋設管内の複数のケーブル類を防水することが行われている。
【０００５】
ところが、前記埋設管の管端では、ケーブルの端部が他のケーブルと接続する際の作業効率を図る上で、埋設管の管長よりも長いケーブル類を埋設管の内部に収納することがある。このため、前記埋設管の管長より長くした分だけケーブル類が埋設管の管端より外方に突出することになる（例えば、２０〜３０ｃｍ程度）。このように、ケーブル類が埋設管の管端より外方に突出していると、埋設管の管端に専用のキャップを嵌めることができない。
そのため、ケーブル類が埋設管の管端より外方に突出している場合には、埋設管の管端を外方に突出するケーブル類と共に土嚢袋や梱包紙袋などにより覆う手法が採択されている。
しかしながら、掘削溝には、地質によって湧き水が湧いてきたり、土を被せて埋め戻しておいても雨水が浸みこんでくることがある。そのため、埋設管の管端を土嚢袋や梱包紙袋で覆っただけでは、埋設管の周囲が泥濘んでくると、埋設管の管端より外方へ突出するケーブル類が泥水に晒されてしまい、ケーブル類を防水することができない。しかも、土嚢袋や梱包紙袋は軟らかいため、上から土を被せて埋め戻すと、袋を介してケーブル類に土圧が掛かることになり、ケーブル類が破損するおそれもある。
【０００６】
本発明は、かかる点に鑑みてなされたものであり、その目的とするところは、ケーブル敷設工事で、工事を中断して土を埋め戻す場合に複数のケーブル類が埋設管の管端より外方に突出していても、ケーブル類を確実に防水することができる埋設管の管端封止構造を提供することにある。
【０００７】
前記目的を達成するため、本発明では、管路に沿って延びる複数のケーブル類が内部に収納された埋設管の管端を水密状に封止する管端封止構造として、前記埋設管の管端に一端が水密状に取り付けられ、当該埋設管の管端より外方に突出する複数のケーブル類を外周方向から覆う管端封止部材を備えることを特徴としている。
この特定事項により、埋設管の管端より外方に突出する複数のケーブル類を外周方向から覆う管端封止部材の一端が埋設管の管端に水密状に取り付けられている。これにより、掘削溝に湧いてきた湧き水や浸みこんできた雨水などにより埋設管の周囲が泥濘んできても、埋設管の管端より外方へ突出するケーブル類が泥水に晒されることはなく、ケーブル類を確実に防水することが可能となる。さらに、埋め戻しを行った際に、管端封止部材によってケーブル類を保護して長期間掘り起こされなくても破損等を防げる。
【０００８】
また、前記管端封止部材は、前記埋設管の管端に一端が水密状に取り付けられる外周包囲管と、当該外周包囲管の他端を水密状に封止するキャップとを備えていることが好ましい。この場合、埋設管の管端より外方に突出する複数のケーブル類の突出長さに応じた長さの外周包囲管を用意すればよく、管端封止部材を最適な長さにすることができる。
【０００９】
また、前記外周包囲管が、その外周包囲管の軸線方向に伸縮自在に構成されてなるものであることが好ましい。この場合には、埋設管の管端より外方に突出する複数のケーブル類の突出長さに応じて外周包囲管を軸線方向に伸縮させることが可能となり、埋設管の管端より外方へ突出するケーブル類を最適な長さの外周包囲管によって効率よく防水することができる。しかも、外周包囲管は不使用時に収縮状態で格納され、外周包囲管の格納スペースを少なくすることができる。
【００１０】
一方、前記外周包囲管は、その外周包囲管の軸線方向に分割された脱着自在な複数個の分割包囲管体を備え、前記埋設管の管端より外方に突出する複数のケーブル類の突出長さに応じた個数の前記分割包囲管体により構成されていることが好ましい。
この場合には、埋設管の管端より外方に突出する複数のケーブル類は、その突出長さに応じた個数を繋げた分割包囲管体よりなる外周包囲管によって効率よく防水することができる。しかも、外周包囲管はケーブル類の突出長さに応じて繋げた個数の分割包囲管体で構成されていることにより、外周包囲管を最小限の分割包囲管体によって無駄なく構成することができる。
【００１１】
更に、前記外周包囲管の一端及び前記埋設管の管端の少なくとも一方に設けられ、その両端同士の間をシールするシール部材を備えていることが好ましい。この場合には、外周包囲管の一端と埋設管の管端との間がシール部材によって密着し、前記両端同士の間でのシール性能を効果的に高めることができる。しかも、前記シール部材によるシール効果によって、埋設管の管端に対する外周包囲管の不要な外れを効率よく抑制することもできる。
【発明の効果】
【００１２】
以上、要するに、埋設管の管端より外方に突出する複数のケーブル類を外周方向から覆う外周包囲管の一端を埋設管の管端に水密状に取り付けるとともに、この外周包囲管の他端をキャップにより水密状に封止することで、埋設管の管端より外方へ突出するケーブル類を確実に防水することができる。
【図面の簡単な説明】
【００１３】
【図１】本発明の実施の形態に係る管端封止構造により埋設管の管端を封止する前の状態を示す一部切り欠き側面図である。
【図２】本発明の実施の形態に係る管端封止構造により埋設管の管端を封止した状態を示す一部切り欠き側面図である。
【図３】実施の形態の変形例に係る管端封止構造により埋設管の管端を封止する前の状態を示す一部切り欠き側面図である。
【図４】実施の形態の変形例に係る管端封止構造により埋設管の管端を封止した状態を示す一部切り欠き側面図である。
【図５】実施の形態のその他の変形例に係る管端封止構造により埋設管の管端を封止する前の状態を示す一部切り欠き側面図である。
【図６】実施の形態のその他の変形例に係る管端封止構造により埋設管の管端を封止した状態を示す一部切り欠き側面図である。
【発明を実施するための形態】
【００１４】
以下添付図面を参照しながら、本発明の実施の形態について説明し、本発明の理解に供する。なお、以下の実施の形態は、本発明を具体化した一例であって、本発明の技術的範囲を限定する性格のものではない。
【００１５】
図１及び図２において、１は埋設管であって、この埋設管１の内部には、その管路に沿って延びる複数のケーブル類（図示せず）がそれぞれ収納されている。これらのケーブル類は、埋設管１の内部を管路に沿って延びる複数の鞘管１１，１１，…（図１では４本のみ示す）の内部にそれぞれ個別に敷設されている。この場合、複数のケーブル類としては、電話線、通信線、及び電力線などのケーブルが適用される。
【００１６】
また、埋設管１の内部に収納されるケーブル類としては、前記埋設管１の内部を管路に沿って延びる断面略Ｖ字状のセパレータ１２が含まれる。このセパレータ１２は、前記埋設管１の管路の内径と略一致する幅寸法に設定され、前記埋設管１の管路に収納された際に当該管路を上下に区画している。
この場合、埋設管１の内部に収納された各鞘管１１は、その内部にそれぞれ敷設されたケーブルを他のケーブルと接続する際の作業効率を図る上で、埋設管１の管長よりも長いケーブルが敷設されるように長く設定されたものが埋設管１の内部に収納されている。また、前記セパレータ１２も、各鞘管１１の長さに応じて埋設管１の管長よりも長いものが埋設管１の内部に収納されている。このため、前記各鞘管１１及びセパレータ１２の端部は、前記埋設管１の管長より長くした分だけ埋設管１の管端１ａより所定量（例えば、２０〜３０ｃｍ程度）だけ外方に突出することになる。
【００１７】
ところで、前記ケーブル類は、電話機や通信機器や電気機器などの端末が設置される建造物まで予め導いておく必要がある。このため、埋設管１を埋めるための掘削溝が建造物の工事現場まで延ばされるように掘削されている。ところが、このような掘削溝が掘削されていても、建造物の工事が滞ったり、建造物の工事自体が中止になってしまうと、建造物の工事の状況によっては前記埋設管１を埋め戻しておく期間が数年に及ぶこともある。
そのため、複数の鞘管１１（ケーブル）及びセパレータ１２を収容した埋設管を、掘削溝に土を被せて埋め戻しておかなければならない。その場合、複数の鞘管１１及びセパレータ１２が剥き出しとなっていると、掘削溝に湧き水が湧いてきたり、掘削溝に雨水が浸みこんできたりして、埋設管１の周囲が泥濘んでくることがある。かかる点から、埋設管１の管端１ａより外方へ突出する各鞘管１１及びセパレータ１２の端部が泥水に晒されることを防止する上で、当該各鞘管１１及びセパレータ１２の端部を防水する必要がある。
【００１８】
そこで、本実施の形態では、埋設管１の管端１ａを水密状に封止する管端封止部材２によって、埋設管１の管端１ａより外方へ突出する各鞘管１１及びセパレータ１２の端部を防水する管端封止構造を提供している。
具体的には、管端封止部材２は、樹脂製の管材であり、例えば、ポリエチレン樹脂や硬質塩化ビニルにより成形されたものであり、外周包囲管２１と、キャップ２２とを備えている。前記外周包囲管２１は、前記埋設管１の管端１ａより外方に突出する各鞘管１１及びセパレータ１２を外周方向から覆うように略円筒形状に形成されてなる。そして、前記外周包囲管２１の一端（図１では右端）が前記埋設管１の管端１ａに取り付けられている。一方、前記キャップ２２は、有底円筒形状に形成されている。そして、前記キャップ２２は、前記外周包囲管２１の他端（図１では左端）に嵌着され、当該外周包囲管２１の他端を水密状に封止している。この場合、各鞘管１１（ケーブル）及びセパレータ１２の突出長さに応じて、樹脂製の管材を所望の長さで切断して外周包囲管２１を作成する。
【００１９】
更に、前記外周包囲管２１の一端には、内径を拡径させた鍔部２１ａが凸設されている。この鍔部２１ａの内周部には、弾性のあるゴム材よりなる環状のシール部材２３が嵌着されている。このシール部材２３は、内周部分の他側（図１では右側）に周方向全域に亘る切り込みを有し、その切り込まれた先端側が半径方向内方向きに離反している。また、図２に示すように、前記埋設管１の管端１ａは、その近傍において内径を拡径させた鍔部１ｂが凸設され、その鍔部１ｂよりも管端１ａ側の管端部１ｃが前記外周包囲管２１の一端に嵌挿されている。このとき、シール部材２３の半径方向内方向きに離反する先端側が埋設管１の管端部１ｃにより半径方向外方に押し潰されてシール効果が発揮され、前記外周包囲管２１の一端の鍔部２１ａが前記埋設管１の鍔部１ｂに当接することによって、外周包囲管２１の一端と埋設管１との取り付けが位置決めされている。
【００２０】
したがって、前記実施の形態では、埋設管１の管端１ａより外方に突出する複数のケーブル類を敷設する鞘管１１，１１，…を外周方向から覆う外周包囲管２１の一端が埋設管１の管端１ａの管端部１ｃの嵌挿により取り付けられ、この外周包囲管２１の他端がキャップ２２により水密状に封止されている。これにより、掘削溝に湧いてきた湧き水や浸みこんできた雨水などにより埋設管１の周囲が泥濘んできても、埋設管１の管端１ａより外方へ突出する拡鞘管１１（ケーブル）及びセパレータ１２が泥水に晒されることはなく、各鞘管１１（ケーブル）及びセパレータ１２を確実に防水することができる。
【００２１】
しかも、外周包囲管２１の一端と埋設管１の管端部１ｃとの間でシール部材２３の半径方向内方向きに離反する先端側が埋設管１の管端部１ｃにより半径方向外方に押し潰されて密着し、前記外周包囲管２１の一端と埋設管１の管端部１ｃとの間でのシール性能を効果的に高めることができる。しかも、前記シール部材２３によるシール効果によって、埋設管１の管端１ａに対する外周包囲管２１の不要な外れを効率よく抑制することもできる。
【００２２】
本発明は、前記実施の形態に限定されるものではなく、その他種々の変形例を包含している。例えば、前記実施の形態では、略円筒形状の外周包囲管２１によって各鞘管１１及びセパレータ１２を外周方向から覆ったが、図３及び図４に示すように、外周包囲管３が、その外周包囲管３の軸線方向（図３及び図４では左右方向）に伸縮自在に構成された２つの略円筒形状の外周包囲管体３１，３２によって構成されていてもよい。この各外周包囲管体３１，３２は、硬質塩化ビニルよりなり、そのうち、一側（図３及び図４では右側）となる埋設管１側の第１外周包囲管体３１が、他側（図３及び図４では左側）となる反埋設管１側の第２外周包囲管体３２よりも大径に形成され、第２外周包囲管体３２の外周面に対し内周面を密接させたシール状態で軸線方向へ相対移動可能となっている。また、前記第１外周包囲管体３１の一端には内径を拡径させた鍔部３１ａが凸設され、この鍔部３１ａの内周部にシール部材２３が嵌着されている。一方、前記第２外周包囲管体３２の他端（図３及び図４では左端）にはキャップ２２が嵌着されている。この場合には、埋設管１の管端１ａより外方に突出する各鞘管１１及びセパレータ１２の突出長さに応じて外周包囲管３を軸線方向に伸縮させることが可能となり、埋設管１の管端１ａより外方へ突出する各鞘管１１及びセパレータ１２を最適な長さの外周包囲管３によって効率よく防水することができる。しかも、外周包囲管３は不使用時に収縮状態で格納され、外周包囲管３の格納スペースを少なくすることができる。
【００２３】
一方、図５及び図６に示すように、外周包囲管４が、その外周包囲管４の軸線方向に分割された脱着自在な複数個の分割包囲管体４１，４２，４３，４４を備え、埋設管１の管端１ａより外方に突出する各鞘管１１及びセパレータ１２の突出長さに応じた個数の前記分割包囲管体４１〜４４により構成されていてもよい。前記各分割包囲管体４１〜４４は、硬質塩化ビニルよりなり、そのうち、一側（図５及び図６では右側）となる埋設管１側の第１分割包囲管体４１の一端には、内径を拡径させた鍔部４１ａが凸設され、この鍔部４１ａの内周部にシール部材２３が嵌着されている。一方、残る第２〜第４分割包囲管体４２〜４４はいずれも同一形状をなし、その第４分割包囲管体４４の他端（図５及び図６では左端）にはキャップ２２が嵌着されている。そして、各分割包囲管体４１〜４４同士は、それぞれ両端縁に設けたロック機構（図示せず）により密閉状態で係脱自在に係合される。        具体的には、ロック機構は、互いに相隣る分割包囲管体同士は、反埋設管１側となる一方の分割包囲管体を埋設管１側となる他方の分割包囲管体に対し軸線回りに正回転させることにより係合され、前記一方の分割包囲管体を前記他方の分割包囲管体に対し軸線回りに逆回転させることにより離脱されるようになっている。この場合には、埋設管１の管端１ａより外方に突出する各鞘管１１及びセパレータ１２は、その突出長さに応じた個数を繋げた分割包囲管体４１〜４４よりなる外周包囲管４によって効率よく防水することができる。しかも、外周包囲管４は各鞘管１１及びセパレータ１２の突出長さに応じて繋げた個数の分割包囲管体４１〜４４で構成されていることにより、外周包囲管４を最小限の分割包囲管体４１〜４４によって無駄なく構成することができる。
【００２４】
また、上記実施の形態では、外周包囲管２１とキャップ２２とにより管端防止部材２を構成したが、外周包囲管の他端がキャップ部により水密状に封止された有底筒形状の管端封止部材であってもよい。
【００２５】
更に、前記実施の形態では、外周包囲管２〜４の一端側にのみシール部材２３を設けたが、埋設管の管端部側にもシール部材が設けられていてもよい。また、外周包囲管の一端に鍔部の内周端より外周包囲管側に突出する筒状の突出部を設け、この突出部がその外周面を埋設管の鍔部の内周面に摺接するように嵌挿されるようにしてもよく、この場合には、前記埋設管の鍔部の内周部にのみ環状のシール部材が嵌着される。
【符号の説明】
【００２６】
１      埋設管
１ａ    管端
１１    鞘管（ケーブル）
２      管端封止部材
２１    外周包囲管
２２    キャップ
２３    シール部材
３      外周包囲管
３１，３２  第１，第２外周包囲管体（外周包囲管体）
４      外周包囲管
４１〜４４  第１〜第４分割包囲管体（外周包囲管体）
【図１】
2011109748.tif 000003
【図２】
2011109748.tif 000004
【図３】
2011109748.tif 000005
【図４】
2011109748.tif 000006
【図５】
2011109748.tif 000007
【図６】
2011109748.tif 000008